(57)【特許請求の範囲】
【請求項１】
照明光をそれぞれ照射する一対の光源と、
前記一対の光源からそれぞれ入射する前記照明光を情報コードに向けて出射する照明レンズと、
前記情報コードからの反射光を受光する受光センサと、
を備える光学的情報読取装置であって、
前記照明レンズは、一方の前記光源からの前記照明光が入射する入射面からこの入射した照明光が出射する出射面にかけて徐々に拡がるように形成される一方の導光部と、他方の前記光源からの前記照明光が入射する入射面からこの入射した照明光が出射する出射面にかけて徐々に拡がるように形成される他方の導光部とを有し、
前記入射面は、それぞれ平面状に形成され、
前記導光部は、前記出射面が矩形状となるように形成され、
前記一方の導光部および前記他方の導光部は、前記入射面から前記出射面にかけて徐々に四角状に拡がる錐体として形成されることを特徴とする光学的情報読取装置。
【請求項２】
前記照明レンズは、前記一方の導光部の光軸と前記他方の導光部の光軸とが平行となるように形成されることを特徴とする請求項１に記載の光学的情報読取装置。
【請求項３】
前記照明レンズは、前記一方の導光部と前記他方の導光部とが一体に形成されることを特徴とする請求項１または２に記載の光学的情報読取装置。
【請求項４】
前記一対の光源は、前記照明レンズに対して、その発光面が対応する前記入射面に近接するようにそれぞれ配置されることを特徴とする請求項１〜３のいずれか一項に記載の光学的情報読取装置。
【請求項５】
前記導光部は、前記出射面が出射側に凸となる曲率を有するように形成されることを特徴とする請求項１〜４のいずれか一項に記載の光学的情報読取装置。
【発明の詳細な説明】
【技術分野】
【０００１】
本発明は、情報コードを光学的に読み取り可能な光学的情報読取装置に関するものである。
【背景技術】
【０００２】
従来、情報コードを光学的に読み取り可能な光学的情報読取装置として、下記特許文献１に示す光学的情報読取装置が知られている。この光学的情報読取装置は、装置ケース内に、照明光源と、照明光源からの光を集光・拡散する照射する照明用レンズと、読取対象からの反射光を結像するための結像レンズと、この結像レンズによる像を取り込む一次元撮像素子とを有し、照明光源は、その光軸が、結像レンズの光軸及び一次元撮像素子を含む光学的平面上に位置するように配置されている。そして、結像レンズの視野を遮らない位置には、照明用レンズから射出する光の一部を集光・拡散して射出する副照明用レンズが設けられている。この副照明用レンズにより、結像レンズの視野を妨げることなく、照明用レンズから射出された光の大部分を集光・拡散することで照明光源からの光が有効に利用でき、明確な光強度の照明光を所望の範囲に形成することができる。
【先行技術文献】
【特許文献】
【０００３】
【特許文献１】特開２００４−１４５５４２号公報
【発明の概要】
【発明が解決しようとする課題】
【０００４】
図７は、曲率を有する照明レンズ２における入射面３の入射状態および出射面４の出射状態を説明する説明図であり、図７（Ａ）は光源１の中心と照明用レンズ２の光軸とが一致する状態を示し、図７（Ｂ）は光源１の中心と照明用レンズ２の光軸とが位置ずれする状態を示す。
ところで、図７に示すように、上述のような照明用レンズ２は、光源１から照射される照明光を集光するため、入射面３および出射面４が凸となる曲率を有するように形成されており、この曲率が大きくなるほど、集光効率が向上する。しかしながら、光源１は、例えば、周囲に比べて中央方向が高い配光分布を有するＬＥＤのように、一般的に配光分布を有しているため、効果的に集光するためには、図７（Ａ）に例示するように、光源１の中心と照明用レンズ２の光軸とを一致させる必要があり、曲率を有する照明用レンズ２との位置合わせに関して高い組付精度が要求される。一方、図７（Ｂ）に例示するように、光源１の中心と照明用レンズ２の光軸とが位置ずれしていると、光源１からの照明光の一部が入射面３に入射せずに集光効率が低下するという問題や、出射面４から出射する照明光が出射すべき方向からずれてしまうという問題がある。
【０００５】
このような構成では、照明用レンズの曲率が大きくなるほど、位置ずれしたときの集光効率が低下するとともに、位置ずれ時の出射すべき方向からのずれが大きくなってしまう。特に、光学的情報読取装置では、横長の照射光を照射するために、一対の光源、またはそれ以上の個数の光源が採用されるので、個々の光源にて、対応する照明用レンズとの位置合わせがそれぞれ必要となる。そうすると、要求される組付精度が高くなるほど、組付工程や検査工程等が煩雑となり、製造コストが増大してしまう。
【０００６】
本発明は、上述した課題を解決するためになされたものであり、その目的とするところは、照明光を照射する光源と照明レンズとの位置合わせに必要な組付精度を下げ得る光学的情報読取装置を提供することにある。
【課題を解決するための手段】
【０００７】
上記目的を達成するため、請求項１に記載の発明は、照明光（Ｌｆ，Ｌｆａ，Ｌｆｂ）をそれぞれ照射する一対の光源（２２ａ，２２ｂ）と、前記一対の光源からそれぞれ入射する前記照明光を情報コード（Ｃ）に向けて出射する照明レンズ（５０，５４）と、前記情報コードからの反射光（Ｌｒ）を受光する受光センサ（２８）と、を備える光学的情報読取装置（１０）であって、前記照明レンズは、一方の前記光源（２２ａ）からの前記照明光が入射する入射面（５１）からこの入射した照明光が出射する出射面（５２，５２ａ）にかけて徐々に拡がるように形成される一方の導光部（５０ａ）と、他方の前記光源（２２ｂ）からの前記照明光が入射する入射面（５１）からこの入射した照明光が出射する出射面（５２，５２ａ）にかけて徐々に拡がるように形成される他方の導光部（５０ｂ）とを有し、前記入射面は、それぞれ平面状に形成され、前記導光部は、前記出射面が矩形状となるように形成され、前記一方の導光部および前記他方の導光部は、前記入射面から前記出射面にかけて徐々に四角状に拡がる錐体として形成されることを特徴とする。
なお、上記各括弧内の符号は、後述する実施形態に記載の具体的手段との対応関係を示すものである。
【発明の効果】
【０００８】
請求項１の発明では、照明レンズは、一対の光源からそれぞれ入射する照明光を情報コードに向けて出射するように形成される。そして、照明レンズは、入射面から出射面にかけて徐々に拡がるように形成される一方の導光部および他方の導光部を有しており、入射面は、それぞれ平面状に形成される。
【０００９】
これにより、入射面から入射した照明光は、導光部内での反射を繰り返しながら出射面に向かうため、曲率を有する照明レンズを採用することなく、出射面から出射する照明光の分布を均一にすることができる。特に、両導光部の入射面がそれぞれ平面状に形成されるため、配光分布を有する光源であってもその光源の中心と導光部の光軸とを一致させる必要が無く、一対の光源と一対の導光部との位置合わせに関して高い位置精度を不要とすることができる。
したがって、照明光を照射する光源と照明レンズとの位置合わせに必要な組付精度を下げることができる。
また、請求項１の発明では、導光部は、出射面が矩形状となるように形成されるため、両導光部から出射する照射光はそれぞれ矩形状となり、それぞれの照射光の少なくとも一部が重なり情報コードに照射される照射光も矩形状となる。このため、一般的に矩形状が多い情報コードに対して、矩形状の照射光を照射できるため、情報コードに対して無駄なく照射光を照射させやすくなり、情報コードからの反射光の光量を高めることができる。
【００１０】
請求項２の発明では、照明レンズは、一方の導光部の光軸と他方の導光部の光軸とが平行となるように形成されるため、一方の導光部から出射される照明光と他方の導光部から出射される照明光とが遠方ほど重なる領域が広くなる。このため、遠方であっても照明光が重なった領域の照度が増し、遠方の情報コードに対しても高い照度の照明光を照射することができる。
【００１１】
請求項３の発明では、照明レンズは、一方の導光部と他方の導光部とが一体に形成されるため、一方の導光部と他方の導光部との相対位置精度が向上するので、一対の光源を採用する場合でも必要な組付精度を下げることができるだけでなく、部品点数が削減されることで更なる製造コストの低減を図ることができる。
【００１２】
請求項４の発明では、一対の光源は、照明レンズに対して、その発光面が対応する入射面に近接するように、具体的には、その発光面が入射面に接触するか僅かな隙間を介して対向するように、それぞれ配置される。これにより、より多くの照射光が入射面に入射するので、光源から照射される照射光を有効に使用でき、情報コードからの反射光の光量を高めることができる。
【００１４】
請求項５の発明では、導光部は、出射面が出射側に凸となる曲率を有するように形成される。これにより、小型化を図るために導光部の導光方向の長さを短くすることで導光部内での反射回数が少なくなる場合でも、出射面から出射する照射光の広がりが抑制されて、情報コードに対して無駄なく照射光を照射させやすくなり、情報コードからの反射光の光量を高めることができる。
【図面の簡単な説明】
【００１５】
【図１】本実施形態に係る光学的情報読取装置の電気的構成を示すブロック図である。
【図２】照明レンズと一対のＬＥＤとの配置関係を示す説明図である。
【図３】照明レンズの詳細形状を示す斜視図である。
【図４】照明レンズを介して照射される照明光の照射状態を説明する説明図である。
【図５】図２の照明光源における入射面の入射状態および出射面の出射状態を説明する説明図である。
【図６】照明レンズの変形例を説明する説明図である。
【図７】曲率を有する照明レンズにおける入射面の入射状態および出射面の出射状態を説明する説明図である。
【発明を実施するための形態】
【００１６】
以下、本発明の光学的情報読取装置を具現化した一実施形態について、図面を参照して説明する。なお、図１は、本実施形態に係る光学的情報読取装置１０の電気的構成を示すブロック図である。
図１に示す光学的情報読取装置１０は、梱包箱等の読取対象に付されたバーコードや二次元コード等の情報コードを光学的に読み取る携帯型の読取装置として構成されている。この光学的情報読取装置１０は、筐体（図示略）の内部に回路部２０が収容されてなるものであり、回路部２０は、主に、照明光源２１、受光センサ２８、結像レンズ２７等の光学系と、メモリ３５、制御回路４０等のマイクロコンピュータ（以下「マイコン」という）系と、から構成されている。
【００１７】
光学系は、投光光学系と、受光光学系とに分かれている。投光光学系を構成する照明光源２１は、例えば赤色などの照明光を発光可能な一対のＬＥＤ２２ａ，２２ｂと、両ＬＥＤ２２ａ，２２ｂの出射側に設けられる照明レンズ５０とから構成されている。照明レンズ５０は、ＬＥＤ２２ａおよびＬＥＤ２２ｂから入射する照明光を読取口１３を介し情報コードに向けて帯状の照明光Ｌｆとして出射するためのレンズである。この照明光源２１の詳細構成については後述する。なお、図１では、情報コードＣが付された物品Ｒに向けて照明レンズ５０を介して照明光Ｌｆを照射する例を概念的に示している。また、ＬＥＤ２２ａおよびＬＥＤ２２ｂは、特許請求の範囲に記載の「一対の光源」の一例に相当し、照明レンズ５０は、特許請求の範囲に記載の「照明レンズ」の一例に相当し得る。
【００１８】
受光光学系は、受光センサ２８、結像レンズ２７、反射鏡（図示略）などによって構成されている。受光センサ２８は、例えば、Ｃ−ＭＯＳやＣＣＤ等の固体撮像素子である受光素子を一次元に配列したラインセンサまたは二次元に配列したエリアセンサとして構成されるものであり、情報コードに照射されて反射した反射光Ｌｒを受光可能に構成されている。この受光センサ２８は、結像レンズ２７を介して入射する入射光を受光可能にプリント配線板（図示略）に実装されている。
【００１９】
結像レンズ２７は、外部から読取口１３を介して入射する入射光を集光して受光センサ２８の受光面２８ａに像を結像可能な結像光学系として機能するものである。本実施形態では、照明レンズ５０を介してＬＥＤ２２ａ，２２ｂから照射された照明光Ｌｆが情報コードにて反射した後、この反射光Ｌｒを結像レンズ２７で集光し、受光センサ２８の受光面２８ａにコード像を結像させている。
【００２０】
マイコン系は、増幅回路３１、Ａ／Ｄ変換回路３３、メモリ３５、アドレス発生回路３６、同期信号発生回路３８、制御回路４０、トリガースイッチ４２、発光部４３、ブザー４４、バイブレータ４５、液晶表示器４６、通信インタフェース４８等から構成されている。
【００２１】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２２】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述したコード画像情報格納領域のほかに、制御回路４０が算術演算や論理演算等の各処理時に利用する作業領域や読取条件テーブルも確保可能に構成されている。またＲＯＭには、後述する読取処理、解析処理等を実行可能な所定プログラムやその他、照明光源２１、受光センサ２３等の各ハードウェアを制御可能なシステムプログラム等が予め格納されている。
【００２３】
制御回路４０は、光学的情報読取装置１０全体を制御可能なマイコンによって構成されており、ＣＰＵ、システムバス、入出力インタフェース等を有すると共に、情報処理機能を備えており、メモリ３５とともに情報処理装置を構成している。本実施形態では、制御回路４０に対し、トリガースイッチ４２、発光部４３、ブザー４４、バイブレータ４５、液晶表示器４６、通信インタフェース４８等が接続されている。
【００２４】
これにより、制御回路４０は、例えば、トリガースイッチ４２の監視や管理、一次元コードＣの読み取りに関する情報を報知するインジケータとして機能する発光部４３の点灯・消灯、ビープ音やアラーム音を発生可能なブザー４４の鳴動のオンオフ、当該光学的情報読取装置１０の読取作業者に伝達し得る振動を発生可能なバイブレータ４５の駆動制御、液晶表示器４６の表示制御や外部装置とのシリアル通信を可能にする通信インタフェース４８の通信制御等を可能にしている。
【００２５】
次に、上述した照明光源２１の詳細構成について、図２〜図４を用いて詳細に説明する。図２は、照明レンズ５０と一対のＬＥＤ２２ａ，２２ｂとの配置関係を示す説明図である。図３は、照明レンズ５０の詳細形状を示す斜視図であり、図３（Ａ）は、入射側から見た斜視図であり、図３（Ｂ）は、出射側から見た斜視図である。図４は、照明レンズ５０を介して照射される照明光Ｌｆａ，Ｌｆｂの照射状態を説明する説明図であり、図４（Ａ）は、近距離での照射状態を示し、図４（Ｂ）は、中距離での照射状態を示し、図４（Ｃ）は、遠距離での照射状態を示す。
【００２６】
図２および図３に示すように、照明レンズ５０は、第１導光部５０ａと、第２導光部５０ｂと、両導光部５０ａ，５０ｂを一体に連結する連結部５０ｃとを備えている。ＬＥＤ２２ａは、その発光面が第１導光部５０ａの入射面５１に対して僅かな隙間を介して対向するように配置されている。また、ＬＥＤ２２ｂは、その発光面が第２導光部５０ｂの入射面５１に対して僅かな隙間を介して対向するように配置されている。そして、それぞれの入射面５１は、対向するＬＥＤ２２ａ，２２ｂの発光面よりも大きくなるように四角状に形成されている。
【００２７】
第１導光部５０ａは、ＬＥＤ２２ａから入射する照明光を読取口１３に向けて四角状（矩形状）の照明光Ｌｆａとして出射するライトパイプであって、平面状に形成される入射面５１から同じく平面状に形成される出射面５２にかけて徐々に四角状に拡がる錐体として形成される。また、第２導光部５０ｂは、ＬＥＤ２２ｂから入射する照明光を読取口１３に向けて四角状の照明光Ｌｆｂとして出射するライトパイプであって、平面状に形成される入射面５１から同じく平面状に形成される出射面５２にかけて徐々に四角状に拡がる錐体として形成される。これにより、第１導光部５０ａの入射面５１から入射した照明光は第１導光部５０ａ内での反射を繰り返しながら出射面５２に向かい、第２導光部５０ｂの入射面５１から入射した照明光は第２導光部５０ｂ内での反射を繰り返しながら出射面５２に向かうため、両出射面５２から出射するそれぞれの照明光Ｌｆａ，Ｌｆｂの分布が均一となる。
【００２８】
第１導光部５０ａおよび第２導光部５０ｂは、連結部５０ｃを介して対称であって、第１導光部５０ａの光軸Ｌａと第２導光部５０ｂの光軸Ｌｂとが並行であって所定距離だけ離間するように、連結部５０ｃにより一体に連結されている。これにより、近距離（例えば、出射面５２から５０ｍｍ離れた距離）では、図４（Ａ）に示すように、第１導光部５０ａから出射される照明光Ｌｆａと第２導光部５０ｂから出射される照明光Ｌｆｂとが重なることなく照射される。そして、中距離（例えば、出射面５２から７０ｍｍ離れた距離）では、図４（Ｂ）に示すように、照明光Ｌｆａおよび照明光Ｌｆｂがそれぞれ広がりながら一部の領域で重なるように照射される。そして、遠距離（例えば、出射面５２から１００ｍｍ離れた距離）では、図４（Ｃ）に示すように、照明光Ｌｆａと照明光Ｌｆｂとの重なる領域が中距離よりも広くなる。すなわち、遠方ほど照明光Ｌｆａと照明光Ｌｆｂとの重なる領域が広くなり、両照明光が重ならない場合と比較して、遠方に照射される照明光Ｌｆの照度の低下が抑制される。
【００２９】
また、連結部５０ｃには、第１導光部５０ａおよび第２導光部５０ｂの間に配置される受光センサ２８等との干渉をさけるために、その中央に円弧状の切り欠き５３が設けられている。なお、第１導光部５０ａは、特許請求の範囲に記載の「一方の導光部」の一例に相当し、第２導光部５０ｂは、特許請求の範囲に記載の「他方の導光部」の一例に相当し得る。
【００３０】
次に、上述のように構成される第１導光部５０ａおよび第２導光部５０ｂの作用効果について、第１導光部５０ａとＬＥＤ２２ａとの関係を例に、図５を用いて説明する。図５は、図２の照明光源２１における入射面５１の入射状態および出射面５２の出射状態を説明する説明図であり、図５（Ａ）はＬＥＤ２２ａの中心と第１導光部５０ａの光軸Ｌａとが一致する状態を示し、図５（Ｂ）はＬＥＤ２２ａと第１導光部５０ａの光軸Ｌａとが位置ずれする状態を示す。なお、図５（Ａ），（Ｂ）では、便宜上、第１導光部５０ａ内での反射を繰り返しながら出射面５２に向かう光の図示を省略している。
【００３１】
第１導光部５０ａの入射面５１は、平面状に形成されているため、曲率を有する入射面と比較して、中心から離れた入射面５１の縁部であってもＬＥＤ２２ａの発光面との距離を近づけやすく、より多くの照射光が入射面５１に入射する。特に、このように入射面５１の縁部もＬＥＤ２２ａの発光面に近づくため、図５（Ａ）に示すようにＬＥＤ２２ａの中心と第１導光部５０ａの光軸Ｌａとが一致している場合だけでなく、図５（Ｂ）に示すようにＬＥＤ２２ａと第１導光部５０ａの光軸Ｌａとが位置ずれする場合でも入射面５１への入射漏れが比較的少なく、上記位置ずれに起因する集光効率の低下が抑制される。
【００３２】
さらに、入射面５１は、ＬＥＤ２２ａの発光面よりも大きくなるように形成されているため、上述のような位置ずれが生じても入射面５１への入射漏れがより少なくなり、上記位置ずれに起因する集光効率の低下が確実に抑制される。
【００３３】
この第１導光部５０ａとＬＥＤ２２ａとの関係は、第２導光部５０ｂとＬＥＤ２２ｂとの関係でも同様であり、第２導光部５０ｂでも平面状の入射面５１が採用されているため、ＬＥＤ２２ｂからの照射光を入射面５１に対してより多く入射させることができる。
【００３４】
以上説明したように、本実施形態に係る光学的情報読取装置１０では、照明レンズ５０は、一対のＬＥＤ２２ａ，２２ｂからそれぞれ入射する照明光を情報コードに向けて出射するように形成される。そして、照明レンズ５０は、入射面５１から出射面５２にかけて徐々に拡がるように形成されると第１導光部５０ａおよびと第２導光部５０ｂを有しており、入射面５１は、それぞれ平面状に形成される。
【００３５】
これにより、入射面５１から入射した照明光は、導光部５０ａ，５０ｂ内での反射を繰り返しながら出射面５２に向かうため、曲率を有する照明レンズを採用することなく、出射面５２から出射する照明光の分布を均一にすることができる。特に、両導光部５０ａ，５０ｂの入射面５１がそれぞれ平面状に形成されるため、配光分布を有するＬＥＤ２２ａ，２２ｂ等の光源であってもその光源の中心と導光部５０ａ，５０ｂの光軸とを厳密に一致させる必要が無く、一対のＬＥＤ２２ａ，２２ｂと一対の導光部５０ａ，５０ｂとの位置合わせに関して高い位置精度を不要とすることができる。
したがって、照明光を照射する光源（２２ａ，２２ｂ）と照明レンズ５０との位置合わせに必要な組付精度を下げることができる。
【００３６】
また、照明レンズ５０は、第１導光部５０ａの光軸Ｌａと第２導光部５０ｂの光軸Ｌｂとが平行となるように形成されるため、第１導光部５０ａから出射される照明光Ｌｆａと第２導光部５０ｂから出射される照明光Ｌｆｂとが遠方ほど重なる領域が広くなる。このため、遠方であっても照明光Ｌｆａ，Ｌｆｂが重なった領域の照度が増し、遠方の情報コードに対しても高い照度の照明光Ｌｆを照射することができる。
【００３７】
さらに、照明レンズ５０は、第１導光部５０ａと第２導光部５０ｂとが連結部５０ｃを介して一体に形成されるため、第１導光部５０ａと第２導光部５０ｂとの相対位置精度が向上するので、一対のＬＥＤ２２ａ，２２ｂを採用する場合でも必要な組付精度を下げることができるだけでなく、部品点数が削減されることで更なる製造コストの低減を図ることができる。
【００３８】
また、一対のＬＥＤ２２ａ，２２ｂは、照明レンズ５０に対して、その発光面が対応する入射面５１に僅かな隙間を介して対向するように、それぞれ配置される。これにより、より多くの照射光が入射面５１に入射するので、ＬＥＤ２２ａ，２２ｂから照射される照射光を有効に使用でき、情報コードからの反射光Ｌｒの光量を高めることができる。なお、一対のＬＥＤ２２ａ，２２ｂは、照明レンズ５０に対して、その発光面が対応する入射面５１に僅かな隙間を介して対向するように近接して配置されることに限らず、その発光面が対応する入射面５１に接触するように近接して配置されてもよく、その配置でも上記効果を奏する。
【００３９】
さらに、両導光部５０ａ，５０ｂは、出射面５２が四角状（矩形状）となるように形成されるため、両導光部５０ａ，５０ｂから出射する照射光Ｌｆａ，Ｌｆｂはそれぞれ四角状（矩形状）となり、それぞれの照射光Ｌｆａ，Ｌｆｂの少なくとも一部が重なり情報コードに照射される照射光Ｌｆも四角状（矩形状）となる。このため、一般的に矩形状、特に四角状が多い情報コードに対して、四角状（矩形状）の照射光Ｌｆを照射できるため、情報コードに対して無駄なく照射光Ｌｆを照射させやすくなり、情報コードからの反射光Ｌｒの光量を高めることができる。
【００４０】
なお、本発明は上記実施形態に限定されるものではなく、以下のように具体化してもよい。
（１）図６は、照明レンズの変形例を説明する説明図である。
出射面から出射する照射光の広がりを抑制する照明レンズとして、図６に例示する照明レンズ５４を採用してもよい。この照明レンズ５４における両導光部５０ａ，５０ｂは、その出射面５２ａが出射側に凸となる曲率を有するように形成されている。これにより、小型化を図るために導光部５０ａ，５０ｂの導光方向の長さを短くすることで導光部５０ａ，５０ｂ内での反射回数が少なくなる場合でも、出射面５２ａから出射する照射光Ｌｆａ，Ｌｆｂの広がりが抑制されて、情報コードに対して無駄なく照射光Ｌｆを照射させやすくなり、情報コードからの反射光Ｌｒの光量を高めることができる。
【００４１】
（２）両導光部５０ａ，５０ｂは、四角錐状に形成されることに限らず、求められる照明光の形状に応じて、例えば、多角錐状や円錐状に形成されてもよい。
【００４２】
（３）両導光部５０ａ，５０ｂは、それぞれの光軸Ｌａと光軸Ｌｂとが平行となるように配置されることに限らず、求められる照明光の形状に応じて、光軸Ｌａおよび光軸Ｌｂが交差するように配置されてもよい。
【符号の説明】
【００４３】
１０…光学的情報読取装置
２１…照明光源
２２ａ，２２ｂ…ＬＥＤ（光源）
２８…受光センサ
５０，５４…照明レンズ
５０ａ…第１導光部（一方の導光部）
５０ｂ…第２導光部（他方の導光部）
５１…入射面
５２，５２ａ…出射面
Ｌｆ，Ｌｆａ，Ｌｆｂ…照明光
Ｌａ，Ｌｂ…光軸
【図１】
0006040579.tif 000002
【図２】
0006040579.tif 000003
【図３】
0006040579.tif 000004
【図４】
0006040579.tif 000005
【図５】
0006040579.tif 000006
【図６】
0006040579.tif 000007
【図７】
0006040579.tif 000008